(57)【要約】【課題】騒音発生を防止することはもちろんのこと、装置の信頼性が高く長寿命で、しかもどのような型式の２枚扉に対しても容易に取付可能な扉閉鎖順位調整器を提供する。【解決手段】扉閉鎖順位調整器は、上枠に固定設置されるベース４１と、ベース４１が有する軸体４２に対して回動自在に設置されるアーム５２と、アーム５２が上枠側から扉の開く方向に突出するようアーム５２に対して付勢力を及ぼす弾性体４５と、を有し、２枚扉が開いた状態のときにアーム５２が突出状態となることによって２枚扉の閉鎖順位を調整する扉閉鎖順位調整器であって、ベース４１に傾動自在に固定設置される第２アーム５５を備え、第２アーム５５は、常にアーム５２の回動状態に追従して傾動する。【選択図】図１
2008202373.tif 000002
【特許請求の範囲】
【請求項１】
上枠に固定設置されるベースと、
前記ベースが有する軸体に対して回動自在に設置されるアームと、
前記アームが上枠側から扉の開く方向に突出するよう前記アームに対して付勢力を及ぼす弾性体と、
を有し、２枚扉が開いた状態のときに前記アームが突出状態となることによって２枚扉の閉鎖順位を調整する扉閉鎖順位調整器であって、
前記ベースに傾動自在に固定設置される第２アームを備え、
前記第２アームは、常に前記アームの回動状態に追従して傾動することを特徴とする扉閉鎖順位調整器。
【請求項２】
少なくとも前記第２アーム又はアームのどちらか一方に係合部を有し、
前記係合部を介して、前記アームに前記第２アームの先端が取り付けられることを特徴とする請求項１に記載の扉閉鎖順位調整器。
【請求項３】
前記アームに対して前記第２アームを常に付勢する付勢力付与手段を備えていることを特徴とする請求項１に記載の扉閉鎖順位調整器。
【請求項４】
前記付勢力付与手段が弾性体であることを特徴とする請求項３に記載の扉閉鎖順位調整器。
【請求項５】
前記第２アームは、
前記アームの回動状態に追従して動く回動体と
前記回動体を前記アームに対して傾動可能に取り付ける傾動部材と、
を具備し、
前記回動体と傾動部材とが接触する面が傾斜面で形成され、
前記傾斜面は、
前記回動体が前記ベースに対して立設するほど、前記回動体と傾動部材との接触力が増すように形成されており、
前記アームに対して前記第２アームが常に付勢されていることを特徴とする請求項１に記載の扉閉鎖順位調整器。
【発明の詳細な説明】
【技術分野】
【０００１】
本発明は、２枚扉の閉鎖順位を調整するために用いられる扉閉鎖順位調整器の改良に関するものである。
【背景技術】
【０００２】
従来から、２枚１組の開閉扉を順序よく閉鎖する装置として、扉閉鎖順位調整器が知られている。例えば、従来から知られている扉閉鎖順位調整器の問題点を改善した特願２００５−３５０６０１号に記載の扉閉鎖順位調整器は、図１４（ａ）に示すように、ベースとしての取付部材９１と、この取付部材９１に軸体を介して回動自在に軸支されて水平方向に移動するアーム９２と、このアーム９２に傾動自在に設置される第２アーム９３と、によって構成されており、後閉扉２１の対向位置に当接するようにアーム９２が突設配置されるという構成を有している。
【０００３】
このような構成の扉閉鎖順位調整器によれば、先閉扉と後閉扉よりなる２枚１組の開閉扉が閉鎖されるときに、後閉扉が適宜の角度に設定されたアームの先端部に当接して規制されるので、先閉扉が先に閉まって行くことができる。そして、例えば、先閉扉の先端部がアームの側面を押圧することによってアームの回動を開始させ、その後、先閉扉が第２アーム上に乗り上がることによって第２アームを介してアームを閉鎖方向回動させて、後閉扉が摺動するアームの規制を受けつつ閉まるようになっている。
【発明の開示】
【発明が解決しようとする課題】
【０００４】
しかしながら、上記特許文献１に記載の扉閉鎖順位調整器は、図１４（ｂ）に示すように、第２アーム９３が樹脂によるヒンジを用いているため、クリープ現象により、例えば、先閉扉を常時開放して使用する場合に、ヒンジが曲折したままの状態になり、第２アーム９３が当該アーム９２に対して追従しない可能性があり、改良の余地があった。
【０００５】
そこで、このような問題の解消を一つの課題とし、本発明は、騒音発生を防止することはもちろんのこと、装置の信頼性が高く長寿命で、しかもどのような型式の２枚扉に対しても容易に取付可能な扉閉鎖順位調整器を提供することを目的とする。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る扉閉鎖順位調整器は、上枠に固定設置されるベース（４１）と、前記ベースが有する軸体（４２）に対して回動自在に設置されるアーム（５２）と、前記アームが上枠側から扉の開く方向に突出するよう前記アームに対して付勢力を及ぼす弾性体（４５）と、を有し、２枚扉が開いた状態のときに前記アームが突出状態となることによって２枚扉の閉鎖順位を調整する扉閉鎖順位調整器であって、前記ベースに傾動自在に固定設置される第２アーム（５５）を備え、前記第２アームは、常に前記アームの回動状態に追従して傾動することを特徴とする。
【０００８】
また、扉閉鎖順位調整器において、少なくとも前記第２アーム又はアームのどちらか一方に係合部（６０、６２）を有し、前記係合部を介して、前記アームに前記第２アームの先端が取り付けられることとすることができる。
【０００９】
また、扉閉鎖順位調整器において、前記アームに対して前記第２アームを常に付勢する付勢力付与手段（７７、８５）を備えていることとすることができる。
また、扉閉鎖順位調整器において、前記付勢力付与手段が、弾性体（７７）であることとすることができる。
【００１０】
また、扉閉鎖順位調整器において、前記第２アームは、前記アームの回動状態に追従して動く回動体（８２）と、前記回動体を前記アームに対して傾動可能に取り付ける傾動部材（８４、８５）と、を具備し、前記回動体と傾動部材とが接触する面が傾斜面（８３ｃ、８４ｃ）で形成され、前記傾斜面は、前記回動体が前記ベースに対して立設するほど、前記前記部材と傾動部材との接触力が増すように形成されており、前記アームに対して前記第２アームが常に付勢されていることとすることができる。
【発明の効果】
【００１１】
本発明によれば、装置の信頼性が高く長寿命で、しかもどのような型式の２枚扉に対しても容易に取付可能な新たな扉閉鎖順位調整器を提供することができる。
【発明を実施するための最良の形態】
【００１２】
以下、本発明を実施するための好適な実施形態について、図面を用いて説明する。なお、以下の実施形態は、各請求項に係る発明を限定するものではなく、実施形態の中で説明されている特徴の組み合わせの全てが発明の解決手段に必須であるとは限らない。
【００１３】
−第１実施形態−
図１は２枚扉が開いた状態における扉閉鎖順位調整器の部分横断面上面図、図２は２枚扉が閉じた状態における扉閉鎖順位調整器の部分横断面上面図、図３は扉閉鎖順位調整器の動作例を示す図、図４は図２のＡ−Ａ断面図である。
【００１４】
―扉閉鎖順位調整器の構成―
まず、本実施形態に係る扉閉鎖順位調整器の構成について説明する。
【００１５】
図１に示すように、本実施形態に係る扉閉鎖順位調整器は、上枠に固定設置されるベース４１と、ベース４１が有する軸体４２に対して後端が回動自在に設置されるアーム５２と、アーム５２が上枠側から扉の開く方向に付勢力を及ぼす弾性体４５と、アーム５２の先端に回転自在に設けられるローラ５３と、を備えている。また、本実施形態に係る扉閉鎖順位調整器は、ベース４１に対して傾動自在に固定設置される第２アーム５５を備えており、かかる第２アーム５５は、図１及び図２に示すように、先端が常にアーム５２との接触状態を維持するように構成されている部材である。
【００１６】
ベース４１は、上枠に固定設置されることによって本実施形態に係る扉閉鎖順位調整器の設置基準となる部材である。すなわち、ベース４１は、その胴体部中に複数の取付用孔４３を備えており、これら取付用孔４３を利用して上枠への確実な固定が実現する。また、ベース４１は、上枠への固定設置時に軸線方向が鉛直方向に延びるように形成される軸体４２を有している。この軸体４２は、後述するアーム５２を回動自在に接続することによって、アーム５２の回動動作における回動中心軸としての役割を担う。
【００１７】
アーム５２は、図１乃至図３に示すように、上枠側から扉の開く方向に突出して後閉扉２１を支える部材であり、その縦断面は矩形状に形成されている。このアーム５２は、先端に回転自在に設けられるローラ５３を備えており、２枚扉が開いた状態において、当該ローラ５３が後閉扉２１に当接するようになっている。
【００１８】
また、図１、図２、及び図４に示すように、アーム５２の片側の外側側面には、その軸線方向に沿って凹溝６０が形成されており、当該凹溝６０は第２アーム５５の先端部と係合するようになっている。
【００１９】
また、弾性体４５は、コイルばねで構成され、一端がベース４１に、他端がアーム５２に取り付けられ、前記アーム５２がベース４１に対して開く方向に常時付勢力を及ぼすように設置されている。この弾性体４５により、アーム５２は、後閉扉２１とのスムーズな摺動接触が実現できるようになっている。
【００２０】
なお、アーム５２が弾性体４５からの付勢力のみを受けて突出状態となっている場合のベース４１に対するアーム５２の設置角度については、ベース４１側に設けられた角度設定機構によって任意に変更することが可能となっている。この角度設定機構は、ベース４１内での回転のみを許容された角度調整用ボルト４６と、この角度調整用ボルト４６にばねを介して螺合し、角度調整用ボルト４６の回転運動に従って前後方向（図１における紙面の上下方向）に移動を行う角度調整用ブロック４７とから構成されている。そして、アーム５２のベース４１接続側端部に開口部を設けることによって形成された壁面５２ａが、角度調整用ブロック４７と当接することによってアーム５２の回動動作が規制を受けて回動限界が規定され、アーム５２の設置角度が決定されることになる。
【００２１】
第２アーム５５は、本実施形態に係る扉閉鎖順位調整器を構成する最も特徴的な部材である。その構成素材には、樹脂やゴムなどの可撓性材料が採用されている。また、第２アーム５５は、初期状態が略一直線となるように形成されており、図１で示されるように、２枚扉が開いて突出状態となったアーム５２と接触しているときには、第２アーム５５は初期状態である略一直線の状態を回復しようとすることになるので、アーム５２の方向に対して付勢力を及ぼすようになっている。
【００２２】
また、第２アーム５５の先端は、図４に示すように、アーム５２を摘んで挟み込めるように一対の鍔５６ａからなる鍔部５６が形成されている。また、一方の鍔５６ａには、内側に突設する突起６２が形成されており、当該アーム５２の外側側面に形成された凹溝６０と係合するようになっている。
【００２３】
したがって、図１及び図２に示すように、第２アーム５５は、常にアーム５２との接触状態が維持できるようになっている。
【００２４】
―扉閉鎖順位調整器の動作―
次に、本実施形態に係る扉閉鎖順位調整器の動作について図３を用いてい説明する。
【００２５】
２枚の扉が開いた初期の状態において、アーム５２は、後閉扉２１を当接支持することによって、後閉扉２１が先閉扉１１よりも先に閉まっていくことを防いでいる。すなわち、本実施形態に係る扉閉鎖順位調整器では、先閉扉１１が閉鎖する前に後閉扉２１が閉鎖しないように、突出状態にあるアーム５２がローラ５３を介して後閉扉２１と当接することにより、後閉扉２１を先閉扉１１の動作範囲（符号αで示される鎖線の円弧の内側）から退避させている。そして、先閉扉１１が符号αで示される鎖線の軌跡を描いて回動すると、アーム５２と先閉扉１１との間には第２アーム５５が設置されているので、アーム５２は第２アーム５５を介した先閉扉１１による押圧を受けることになる。
【００２６】
ここで、本実施形態に係る第２アーム５５は、ある程度の長さを持った形状を有しているので、扉閉鎖順位調整器自体の取付位置をシビアに調整する必要はなく、後閉扉２１とアーム５２との位置関係のみを考慮した取付作業を行えば良い。
【００２７】
先閉扉１１が回動して第２アーム５５への押圧が進むと、第２アーム５５はアーム５２の側面を押圧摺動することによって先閉扉１１が閉まって行くことになる。このときも、第２アーム５５が樹脂やゴムなどの可撓性材料で構成されている関係上、アーム５２への影響を最小限に抑えることができるとともに騒音の発生も防止できる。さらに、第２アーム５５は先閉扉１１との接触面がなだらかな形状に形成されているので、従来技術で問題となっていたボルト頭部への先閉扉１１の乗り上げと同様の不具合もなく、本実施形態に係る第２アーム５５によれば、スムーズで静かな閉鎖動作が実現される。
【００２８】
一方、アーム５２は、先閉扉１１による第２アーム５５の押圧動作と同時に後閉扉２１の内側を摺動することになるので、アーム５２は閉鎖方向へと回動することになる。すなわち、先閉扉１１がアーム５２を押圧して弾性体４５の付勢力に抗してアーム５２を上枠側に回動させるので、先閉扉１１の動作範囲（符号αで示される一点鎖線の円弧の内側）内への後閉扉２１の侵入が許容されることになる。そして、後閉扉２１は摺動するアーム５２の規制を受けながら徐々に閉まって行き、最終的に２枚扉の閉鎖が完了すると、本実施形態に係る扉閉鎖順位調整器は、図２で示されるように、アーム５２が先閉扉１１の扉面と略平行方向に保持される状態になる。
【００２９】
なお、アーム５２と第２アーム５５の好適な設置条件について、図２を再度参照して説明すると、先閉扉１１が閉じられたときに先閉扉１１の扉面と略平行方向に保持されるアーム５２の位置から、２枚扉が開かれたときに突出状態となるアーム５２の位置までのアーム５２の限界回動角度をθ1、閉じられた先閉扉１１の扉面と略平行方向にアーム５２が保持されるときの第２アーム５５の位置から、２枚扉が開いて突出状態となったアーム５２と接触している第２アーム５５の位置までの第２アーム５５の限界傾動角度をθ2、と定義したとき、θ1＞θ2なる不等式が成り立つ条件でアーム５２および第２アーム５５を構成することが好ましい。このような条件を満足するようにアーム５２と第２アーム５５とを構成することによって、本実施形態に係る扉閉鎖順位調整器のスムーズな動作が実現する。
【００３０】
以上、本発明の好適な実施形態について説明したが、本発明の技術的範囲は上記実施形態に記載の範囲には限定されない。上記実施形態には、多様な変更又は改良を加えることが可能である。
【００３１】
例えば、本実施形態では、アーム５２の片側の外側側面に凹溝６０を設けるとともに、第２アーム５５の一方の鍔５６ａに当該凹溝６０と係合する突起６２を設けるようになっているが、当該凹溝６０をアーム５２の両側の外側側面に設けるとともに、第２アーム５５の両方の鍔５６ａに当該凹溝６０と係合する突起６２を設けるようにしても構わない。このようにすれば、アーム５２に対してしっかりと第２アーム５５を取り付けることが可能であり、且つ、第２アーム５５の先端を常にアーム５２の動きに対して追従させてアーム５２に接触させておくことが可能となる。
【００３２】
また、当該アーム側に突起状の係合部を設け、第２アーム側に凹部を設けて、前記凹部に突起状の係合部を係合させるようにしても構わない。
【００３３】
また、第２アーム５５をアーム５２に対して常に付勢させることができれば良いため、例えば、磁石のもつ磁力などを用いて、第２アーム５５とアーム５２とが互いに引き合うようにしても構わない。
【００３４】
また、本実施形態では、先閉扉１１が第２アーム５５のみを押圧することによってアーム５２を回動させるようにした場合について例示した。しかしながら、本発明に係る扉閉鎖順位調整器においては、その取付位置によって、先閉扉１１が最初にアーム５２に接触し、これを押圧することによってアーム５２の回動を開始させ、その後、先閉扉１１が第２アーム５５上に乗り上がることによって第２アーム５５を介してアーム５２を回動させるように構成することも可能である。この場合でも、第２アーム５５の形状と材質の効果によってスムーズ且つ静かな動作が実現されるので、上述した本実施形態に係る作用効果と同様の作用効果を発揮することができる。
【００３５】
さらに、本実施形態では、扉を引く側から見て左方向に先閉扉１１が、右方向に後閉扉２１が配置された場合の２枚扉に対して扉閉鎖順位調整器を設置した場合について例示して説明したが、本発明に係る扉閉鎖順位調整器は、先閉扉１１と後閉扉２１が上述した本実施形態の場合と逆に取り付けられている場合であっても適用が可能である。そのような場合には、本発明に係る扉閉鎖順位調整器を本実施形態の場合とは反対に裏返して上枠に設置すれば良い。
【００３６】
−第２実施形態−
次に、扉閉鎖順位調整器の他の実施形態について図５及び図６を用いて説明する。図５は第２実施形態における２枚扉が閉じた状態の扉閉鎖順位調整器の部分横断面上面図、図６は図５のＢ−Ｂ断面図である。なお、図２及び図４と同一部分には同一符号を付するものとしその説明は省略する。
【００３７】
上記第１実施形態がアーム５２の外側で第２アーム５５の先端部と係合させる形態であるのに対し、本実施形態は、アーム５２の内側で第２アーム５５の先端部と係合させる形態である点で異なるものである。
【００３８】
具体的には、アーム５２の片側の内側側面には、その軸線方向に沿って凹溝６５が形成され、第２アームの一方の鍔５６ａには、外側に突設する突起６７が形成されており、当該アーム５２の内側側面に形成された凹溝６５に突起６７が係合されるようになっている。
【００３９】
したがって、第２アーム５５は、常にアーム５２との接触状態が維持できるようになっている。
【００４０】
−第３実施形態−
次に、扉閉鎖順位調整器の他の実施形態について図７及び図８を用いて説明する。図７は第３実施形態における２枚扉が閉じた状態の扉閉鎖順位調整器の部分横断面上面図、図８は図７のＣ−Ｃ断面図である。なお、図２及び図４と同一部分には同一符号を付するものとしその説明は省略する。
【００４１】
上記第１及び第２実施形態がアーム５２の外側又は内側で第２アーム５５の先端部と係合させる形態であるのに対し、本実施形態は、第２アーム５５の先端部にピン７２を取り付け、当該ピン７２をアーム５２に形成された長孔７０に係合させる形態である点で異なるものである。
【００４２】
具体的には、アーム５２の両側側面には、その軸線方向に沿って貫通する長孔７０が形成され、第２アームの鍔部５６には、両方の鍔５６ａを繋ぐようにピン７２を取り付けて、当該アーム５２に形成された長孔７０に当該ピン７２が挿入されるようになっている。また、第２アーム５５とアーム５２との間には必要に応じて座金７３が設けられている。また、ピン７２は、第２アーム５５にカシメ、止め輪等により抜け止めがされて取り付けられている。
【００４３】
したがって、第２アーム５５は、常にアーム５２との接触状態が維持できるようになっている。
【００４４】
−第４実施形態−
次に、扉閉鎖順位調整器の他の実施形態について図９及び図１０を用いて説明する。図９は第４実施形態における２枚扉が開いた状態の扉閉鎖順位調整器の部分横断面上面図、図１０は２枚扉が閉じた状態における扉閉鎖順位調整器の部分横断面上面図である。なお、図１及び図２と同一部分には同一符号を付するものとしその説明は省略する。
【００４５】
上記第１乃至第３実施形態が可撓性材料からなる第２アーム５５の一端側をベース４１に取り付けて固定している形態であるのに対し、本実施形態は、所定の部材からなる第２アーム７５をアーム５２側に付勢力を及ぼすコイルばねなどの弾性体７７を介してベース４１に取り付けた形態である点で異なるものである。
【００４６】
具体的には、ベース４１の上面に軸体７８を形成し、当該軸体７８にアーム５２側に付勢力を及ぼす弾性体７７を介して第２アーム７５が取り付けられている。第２アーム７５は、例えば、先端が折り返されてなる金属片からなり、弾性体７７の付勢力により、常に、先端がアーム５２に接触するようになっている。
【００４７】
したがって、第２アーム５５は、常にアーム５２側に付勢されることとなり、アーム５２との接触状態が維持できるようになっている。
【００４８】
なお、第２アーム７５は、プラスチックなどで形成された部材に強度を増すための埋め金を入れて形成されても構わない。また、第１乃至第３実施形態で用いた可撓性材料で形成されてもよい。
【００４９】
−第５実施形態−
次に、扉閉鎖順位調整器の他の実施形態について図１１及び図１２を用いて説明する。図１１はベースに取り付けられる第２アームの取付構造を示す正面図、図１２はベースに取り付けられる第２アームの取付構造を示す平面図、ベースに取り付けられる第２アームの取付構造を示す左側面図である。なお、図１と同一部分には同一符号を付するものとしその説明は省略する。
【００５０】
上記第１乃至第３実施形態が可撓性材料からなる第２アーム５５の一端側をベース４１に取り付けて固定している形態であるのに対し、本実施形態は、アーム５２側に対して付勢力を及ぼすヒンジ８５を介して、第２アーム８０をベース４１に取り付けた形態である点で異なるものである。
【００５１】
具体的には、図１１に示すように、第２アーム８０は、アーム５２の回動状態に追従して動く樹脂製の回動体８２と、前記回動体８２を取り付ける固定台８４と、を備えて構成され、当該回動体８２と固定台８４とは、前記回動体８２を前記アーム５２に対して傾動可能に固定台８４に取り付けるヒンジ８５を介して取り付けられている。
【００５２】
また、前記固定台８４は、ベース４１の上面に取り付けられており、この固定台８４には、図１２に示すように、その先端部にベース４１の表面に沿って突設された突設体８４ａと、その突設体８４ａ（の紙面上、上下方向）に形成された一対の軸体８４ｂと、が形成されている。
【００５３】
一方、回動体８２の後端部には、固定台８４を挟み込めるように一対の鍔８３ａからなる鍔部８３が形成されているとともに、当該鍔部８３には、固定台８４に形成された軸体８４ｂを挿入するための孔部を有する軸受け８３ｂが形成されている。
【００５４】
また、固定台８４と回動体８２とが接触する互いの面には、傾斜面８４ｃ、８３ｃが形成されている。当該傾斜面８４ｃ、８３ｃは、当該回動体８２がベース４１（又は固定台８４）に対して立設するほど、互いの接触圧力が高まるように曲折して設けられ、前記アーム５２に対して前記第２アーム８０が常に付勢されている。
【００５５】
したがって、第２アーム８０は、常にアーム５２側に付勢されることとなり、アーム５２との接触状態が維持できるようになっている。
【図面の簡単な説明】
【００５６】
【図１】２枚扉が開いた状態における扉閉鎖順位調整器の部分横断面上面図である。
【図２】２枚扉が閉じた状態における扉閉鎖順位調整器の部分横断面上面図である。
【図３】扉閉鎖順位調整器の動作例を示す図。
【図４】図２のＡ−Ａ断面図。
【図５】第２実施形態における２枚扉が閉じた状態の扉閉鎖順位調整器の部分横断面上面図である。
【図６】図５のＢ−Ｂ断面図である。
【図７】第３実施形態における２枚扉が閉じた状態の扉閉鎖順位調整器の部分横断面上面図である。
【図８】図７のＣ−Ｃ断面図である。
【図９】第４実施形態における２枚扉が開いた状態の扉閉鎖順位調整器の部分横断面上面図である。
【図１０】第４実施形態における２枚扉が閉じた状態の扉閉鎖順位調整器の部分横断面上面図である。
【図１１】第５実施形態における２枚扉が開いた状態の扉閉鎖順位調整器のベースに取り付けられる第２アームの取付構造を示す正面図である。
【図１２】第５実施形態における２枚扉が閉じた状態の扉閉鎖順位調整器のベースに取り付けられる第２アームの取付構造を示す平面図である。
【図１３】第５実施形態における２枚扉が閉じた状態の扉閉鎖順位調整器のベースに取り付けられる第２アームの取付構造を示す左側面図である。
【図１４】従来の２扉閉鎖順位調整器を示し、図１４（ａ）は正常な状態、図１４（ｂ）はヒンジに異常が生じた際の状態を示す図である。
【符号の説明】
【００５７】
１１  先閉扉
２１  後閉扉、
４１  ベース
４２  軸体
４５、７７  弾性体
５２  アーム
５５  第２アーム
６０  凹溝
６２  突起
８２  回動体
８３ｃ、８４ｃ  傾斜面
８４  固定台
８５  ヒンジ
【図１】
2008202373.tif 000003
【図２】
2008202373.tif 000004
【図３】
2008202373.tif 000005
【図４】
2008202373.tif 000006
【図５】
2008202373.tif 000007
【図６】
2008202373.tif 000008
【図７】
2008202373.tif 000009
【図８】
2008202373.tif 000010
【図９】
2008202373.tif 000011
【図１０】
2008202373.tif 000012
【図１１】
2008202373.tif 000013
【図１２】
2008202373.tif 000014
【図１３】
2008202373.tif 000015
【図１４】
2008202373.tif 000016